(57)【要約】【課題】従来のマウスの構造を大幅に変える必要がなく、マウス内部の回路設計も変えることなく、異なる分解能の設定を行うことができ、また、選択された所定の分解能をユーザーが認識することができるマウスを提供する。【解決手段】第１のクリック操作群によって、開始信号を生成して出力する開始モード６１と、開始信号が入力されると、スクロール操作又は／及び複数クリック操作のうち１つの操作によって、異なる分解能のうち一つを選んだ決定信号を出力する決定モード６２と、決定信号が入力されると、第１のクリック操作群以外の、別の第２のクリック操作群によって、選ばれた分解能を記憶すると共に、分解能の設定を終了させる終了モード６３と、を行う。【選択図】図３
0003157176.tif 000002
【実用新案登録請求の範囲】
【請求項１】
コンピュータ装置に接続され、そのディスプレイ画面のポインタ移動を制御するポインティングデバイスとして用いられるマウスにおいて、
所定の水平面を移動できるように形成され、クリック操作、及びスクロール操作をする複数のボタン、及びホイールが設けられたマウス本体と、
前記マウス本体に設けられ、前記水平面に対する前記マウス本体の移動を検出するための移動検出ユニットと、
前記マウス本体内に設けられ、前記移動検出ユニットに電気的に接続される制御ユニットであって、第１のクリック操作群としての、前記複数のボタン及び前記ホイールによる少なくとも２回のクリック操作によって、開始信号を生成して出力し、それによって、予め定められた異なる複数の分解能における一つを選べる開始モードと、前記開始信号が入力されると、前記スクロール操作又は／及び前記クリック操作のうち１つの操作によって、前記異なる分解能のうち一つを選んだ決定信号を出力する決定モードと、前記決定信号が入力されると、第２のクリック操作群としての、前記第１のクリック操作群とは別の、前記複数のボタン及び前記ホイールによる少なくとも２回のクリック操作によって、選ばれた前記分解能を記憶すると共に、前記分解能の設定を終了させる終了モードと、を行う制御ユニットと、
前記マウス本体内に設けられ、前記制御ユニットに電気的に接続される報知ユニットであって、前記第１のクリック操作群のクリック操作に合せて前記開始モードであることを示す第１の合図と、前記スクロール操作又は／及び前記クリック操作のうち１つの操作に合せて前記決定モードであることを示す第２の合図と、を知らせる報知ユニットと、
前記マウス本体内に設けられ、前記コンピュータ装置に電気的に接続されるパワーユニットであって、前記移動検出ユニット、前記制御ユニット、及び前記報知ユニットに電気的に接続されたパワーユニットと、
を備えてなることを特徴とするマウス。
【請求項２】
前記マウスが光学式マウスとしての構成を有するよう、前記移動検出ユニットは、前記水平面に向かって発光する発光素子と、前記水平面からの反射光を検出して検出信号として出力する検出素子と、を有することを特徴とする請求項１に記載のマウス。
【請求項３】
前記水平面を移動する前記マウス本体の底面に向かい合う表面に、通孔が設けられ、
前記報知ユニットは、前記マウス本体内に設けられ、前記第１と前記第２の合図として、発光可能な発光ダイオードと、前記発光ダイオードの光を前記表面側の前記通孔へ集光するように設けられる導光パイプと、を有することを特徴とする請求項１又は２に記載のマウス。
【請求項４】
前記発光ダイオードは、前記第１と前記第２の合図、及び前記分解能に応じて、各々異なる色で発光する発光ダイオードであることを特徴とする請求項３に記載のマウス。
【請求項５】
前記複数のボタンは、左ボタンと右ボタンとホイールボタンとを有し、
前記第１のクリック操作群は、前記左ボタン、前記右ボタン、及び前記ホイールボタンを共に押すクリック操作とし、
前記第２のクリック操作群は、前記左ボタン及び前記右ボタンを押して、離すクリック操作とすることを特徴とする請求項１に記載のマウス。
【考案の詳細な説明】
【技術分野】
【０００１】
本考案は、コンピュータ装置のポインティングデバイスとして用いられるマウスに関し、より詳しくは、異なる分解能に切り替えることができるマウスに関する。
【背景技術】
【０００２】
コンピュータ装置において、マウスは、ディスプレイ画面のポインタを移動することを目的として用いられている。マウスを動かすことで画面上に表示されたポインタを移動させ、マウス本体上に設けられたホイールを往復回転することで画面をスクロールさせ、マウス本体上に設けられたボタンをクリックすることで所定項目を選択及び決定し、指示を与えることができる。さらに、ディスプレイ画面の大きさ、又は図の描写に応じて、ポインタの移動距離とマウスの移動距離との設定を変えるため、異なる分解能に切り替えることができるスイッチボタンを設けたマウスが開示されている。（特許文献１、２、３参照）
【先行技術文献】
【特許文献】
【０００３】
【特許文献１】台湾新型公告第562199号
【特許文献２】台湾意匠公告第D107425号
【特許文献３】米国特許第7,532,200号
【考案の概要】
【考案が解決しようとする課題】
【０００４】
しかしながら、従来例のマウス本体は、該マウス本体に設けられたスイッチボタンにより、所定の分解能に設定することはできるが、マウス本体に対する穿孔等の工程や、内部回路に設計変更を施す必要があるので、製造コストのアップにつながり、更にマウスの小型化にも適していない。
【０００５】
本考案は、上記問題点に鑑みてなされたものであり、従来から用いられてきたマウスの構造を大幅に変える必要がなく、且つマウス内部の回路設計も変えることなく、異なる分解能に設定でき、また、選択された所定の分解能を認識することができるマウスを提供することを目的とする。
【課題を解決するための手段】
【０００６】
上記目的を達成するために、本考案は、コンピュータ装置に接続され、そのディスプレイ画面のポインタ移動を制御するポインティングデバイスとして用いられるマウスにおいて、所定の水平面を移動できるように形成され、クリック操作及びスクロール操作をする複数のボタン及びホイールが設けられたマウス本体と、前記マウス本体に設けられ、前記マウス本体の前記水平面に対する移動を検出するための移動検出ユニットと、前記マウス本体内に設けられ、前記移動検出ユニットに電気的に接続される制御ユニットであって、第１のクリック操作群としての、前記複数のボタン及び前記ホイールによる少なくとも２回のクリック操作によって、開始信号を生成して出力し、それによって、予め定められた異なる分解能のうち一つを選べる開始モードと、前記開始信号が入力されると、前記スクロール操作又は／及び前記クリック操作のうち１つの操作によって、前記異なる分解能のうち一つを選んだ決定信号を出力する決定モードと、前記決定信号が入力されると、第２のクリック操作群としての、前記第１のクリック操作群とは別の、前記複数のボタン及び前記ホイールによる少なくとも２回のクリック操作によって、選ばれた前記分解能を記憶すると共に、前記分解能の設定を終了させる終了モードと、を行う制御ユニットと、前記マウス本体内に設けられ、前記制御ユニットに電気的に接続される報知ユニットであって、前記第１のクリック操作群のクリック操作に合せて、前記開始モードであることを示す第１の合図と、前記スクロール操作又は／及び前記クリック操作のうち１つの操作に合せて、前記決定モードであることを示す第２の合図と、を知らせる報知ユニットと、前記コンピュータ装置に電気的に接続するために前記マウス本体内に設けられるパワーユニットであって、前記移動検出ユニット、前記制御ユニット、及び前記報知ユニットに電気的に接続されたパワーユニットと、を備えてなるマウスを提供する。
【０００７】
前記マウスにおいて、マウスが光学式マウスとしての構成を有するよう、前記移動検出ユニットは、前記水平面に向かって発光する発光素子と、前記水平面からの反射光を検出して検出信号として出力する検出素子と、を有することが好ましい。
【０００８】
前記マウスにおいて、前記水平面を移動する前記マウス本体の底面に向かい合う表面に、通孔が設けられることが好ましい。また、前記報知ユニットは、前記マウス本体内に設けられ、前記第１と前記第２の合図として、発光可能な発光ダイオードと、前記発光ダイオードからの光を前記表面側の前記通孔へ集光するように設けられる導光パイプと、を有することが好ましい。
【０００９】
前記マウスにおいて、前記発光ダイオードは、前記第１と前記第２の合図、及び前記分解能に応じて、各々異なる色で発光する発光ダイオードであることが好ましい。
【００１０】
前記マウスにおいて、一例として、前記複数のボタンは、左ボタンと右ボタンとホイールボタンとを有し、前記第１のクリック操作群は、前記左ボタン、前記右ボタン、及び前記ホイールボタンを共に押すクリック操作とし、前記第２のクリック操作群は、前記左ボタン及び前記右ボタンを押して、離すクリック操作とすることが好ましい。
【考案の効果】
【００１１】
以上の構成によれば、複数のボタン及びホイール等を、クリック及びスクロール操作することにより、異なる分解能を設定することができ、従来から用いられてきたマウスの構造を大幅に変える必要がない。また、異なる分解能を設定するときに行われる第１のクリック操作群及び第２のクリック操作群に応じて、色の変化を生じさせるように、例えば光学式報知ユニットが設けられているので、分解能の設定開始、終了、又は変更を知ることができる。
【図面の簡単な説明】
【００１２】
【図１】本考案の一実施形態であるコード付きマウスの、部分切欠き斜視図である。
【図２】本考案の他の実施形態である、コードレスマウスの平面図である。
【図３】本考案のマウスの構成を示す図である。
【考案を実施するための形態】
【００１３】
以下、本考案の実施形態を、図面に基づいて説明する。なお、同一構成及び機能を有する構成要素については、同一番号を付してその説明を省略する。
【実施例１】
【００１４】
本実施例１のマウス１００は、例えばコード７を介して、図示されていないコンピュータ装置に電気的に接続され、そのディスプレイ画面のポインタ移動を制御するポインティングデバイスとして用いられる。図１を参照すると、マウス本体２０は、所定の水平面１０を移動できるように形成され、クリック操作、及びスクロール操作をする左ボタン２１、右ボタン２２、及び左ボタン２１と右ボタンとの間に配置されるホイール２３を設けている。なお、本考案のマウスは、ディスプレイ画面のポインタ移動を制御する、従来の機械式マウス、又は光学式マウス等を用いて良い。また、この例においては、コード付きマウスを例に説明するが、図２に示す電池内蔵のコードレスマウスに適用することもできる。なお、以上のデバイス、および接続のすべては、当技術分野で周知されており、本明細書で詳述する必要はない。
【００１５】
マウス１００は、マウス本体２０の動きを検出するための移動検出ユニット３０を、マウス本体２０に有しており、移動検出ユニット３０の検出信号によって、マウス１００の動きに合わせてポインタ移動を制御するものである。マウス１００が光学式マウスとしての構成を有するように、移動検出ユニット３０は、水平面１０に向かって発光する発光素子３１と、水平面１０からの反射光を検出して検出信号として出力する検出素子３２と、を有している。発光素子３１として、好ましくは発光ダイオード或いはレーザダイオードが用いられ、検出素子３２として、好ましくはイメージセンサーが用いられる。なお、移動検出ユニット３０の構成及び動作は従来と同様であるので、これらの説明は省略する。
【００１６】
マウス１００に対して予め定められた異なる分解能のうち一つを選べるように、制御ユニット６０は、マウス本体２０内に設けられ、移動検出ユニット３０に電気的に接続されている。この制御ユニット６０は、第１のクリック操作群としての、ボタン２１、２２、及びホイール２３による少なくとも２回のクリック操作によって、開始信号を生成して出力する開始モード６１と、開始信号が入力されると、スクロール操作又は／及びクリック操作のうち１つの操作によって、異なる分解能のうち一つを選んだ決定信号を出力する決定モード６２と、決定信号が入力されると、第２のクリック操作群としての、前記第１のクリック操作群とは別の、複数のボタン２１、２２、及びホイール２３による少なくとも２回のクリック操作によって、選ばれた分解能を記憶すると共に、分解能の設定を終了させる終了モード６３と、を行うように構成される。この制御ユニット６０によって、例えば４００ｄｐｉ、６００ｄｐｉ、８００ｄｐｉなどに設定可能となる。
【００１７】
これらの分解能の設定開始、終了、及び変更を知ることができるように、マウス本体２０内に、制御ユニット６０と電気的に接続された報知ユニット４０が設けられている。この報知ユニット４０は、第１のクリック操作群のクリック操作に合せて、開始モードであることを示す第１の合図と、スクロール操作又は／及びクリック操作のうち１つの操作に合せて、決定モードであることを示す第２の合図と、を知らせるように構成されている。報知ユニット４０は、発光可能な発光ダイオード４１と、発光ダイオード４１の光を、水平面１０を移動するマウス本体２０の底面２０１に向かい合う表面２０２へ集光するように設けられる導光パイプ４２と、を有しており、それによって、発光ダイオード４１の光は第１及び第２の合図として認識される。
【００１８】
マウス本体２０の表面２０２に、報知ユニット４０の導光パイプ４２に応じて通孔２５を設けている。このように、発光ダイオード４１からの光は、導光パイプ４２を通じてユーザーに認識される。
【００１９】
発光ダイオード４１の光が、第１の合図及び第２の合図に応じて異なる色に変化し得る発光ダイオードが用いられてもよく、また、第２の合図において、異なる分解能に応じて色の濃淡を変化可能にすることも好ましい。
【００２０】
この例において、複数のボタンとしては、マウス本体２０上に設けられた左ボタン２１、右ボタン２２、及びホイール２３自体であるホイールボタン２４を含み、第１のクリック操作群としては、例えば左ボタン２１、右ボタン２２、及びホイールボタン２４を、共に押すクリック操作とし、第２のクリック操作群は、左ボタン２１及び右ボタン２２を押して、離すクリック操作とする。なお、ホイールボタン２４は、ホイール２３自体がクリック動作を有するものとして用いられるが、簡単に区別するために異なる符号を付して説明する。
【００２１】
また、このマウス１００のマウス本体２０内には、コード７を介してコンピュータ装置に電気的に接続されるパワーユニット５０が設けられており、該パワーユニット５０は、移動検出ユニット３０、制御ユニット６０、及び報知ユニット４０に電気的に接続されている。該パワーユニット５０は、この例では、図３に示すように、コード７を通じてコンピュータ装置からパワーが供給されるようになっているが、図２に示すコードレスマウスでは、付設したパワースイッチ５４の切替えによって、内蔵電池５３から各ユニットへパワーを供給するように構成されてもよい。
【００２２】
次に、上記構成からなるマウスの動作について説明する。
【００２３】
制御ユニット６０の開始モード６１において、第１のクリック操作群としての、マウス本体２０に設けられたボタン２１、２２、及びホイール２３による少なくとも２回のクリック操作（本実施例においては、左ボタン２１、右ボタン２２、及びホイールボタン２４を共に押すクリック操作)によって、開始信号を生成して出力する。このとき、報知ユニット４０によって、第１のクリック操作群のクリック操作に合せて、開始モードであることを示す第１の合図として発光し、通孔２５を通してユーザーに認識される。
【００２４】
決定モード６２において、開始信号が入力されると、スクロール操作又は／及び複数のクリック操作のうち１つの操作によって、４００ｄｐｉ、６００ｄｐｉ、又は８００ｄｐｉの分解能のうち一つを選んで決定信号を出力する。
【００２５】
このとき、報知ユニット４０は、分解能が変更されるたびに、例えば色の濃淡を変化させて、開始モードにおける第１の合図とは異なる色を第２の合図として発光し、通孔２５を通してユーザーに認識させる。なお、第１の合図と異なる色の光を発して第２の合図としてもよい。なお、この例においては、第１と第２の合図として、異なる音声などを鳴らすようにしてもよく、点滅させたり、光の強度を変えたりして、ユーザーに認識させるようにしてもよい。
【００２６】
終了モード６３において、決定信号が入力されると、第２のクリック操作群として、第１のクリック操作群とは別の、複数のボタン２１、２２、及びホイールボタン２４による少なくとも２回のクリック操作（本実施例においては、左ボタン２１及び右ボタン２２を押して、離すクリック操作）によって、選ばれた分解能を記憶すると共に、分解能の設定を終了させる。
【００２７】
このように、ボタン２１、２２、及びホイールボタン２４による複数のクリック操作によって、異なる分解能を設定することができ、報知ユニット４０によって分解能設定の開始、終了、及び変更を知ることができる。従って、周知であるマウスボタンのクリック操作を組み合わせることで、分解能を設定できる。したがって、従来から用いられてきたマウスの構造を大幅に変える必要がなく、マウス内部の回路設計も殆ど変えることなく、異なる分解能の設定を行うことができ、コストを大幅に上げる必要がなくなる。マウスの構造を変える必要がないので、マウスの小型化を実現し得る。また、報知ユニット４０はマウス内にあるスペースを利用して取り付けられ、既存のボタンのための穿孔工程を利用してマウス本体２０の表面２０２に通孔２５を形成することができるので、製造工数を増やさずに済む。また、報知ユニット４０によって、選択された所定の分解能を識別することができ、使用勝手が良い。
【符号の説明】
【００２８】
１００  マウス
１０  水平面
２０  マウス本体
２０１  底面
２０２  表面
２１、２２  ボタン
２３  ホイール
２４  ホイールボタン
２５  通孔
３０  移動検出ユニット
３１  発光素子
３２  検出素子
４０  報知ユニット
４１  発光ダイオード
４２  導光パイプ
５０  パワーユニット
６０  制御ユニット
６１  開始モード
６２  決定モード
６３  終了モード
７  コード
【図１】
0003157176.tif 000003
【図２】
0003157176.tif 000004
【図３】
0003157176.tif 000005